(57)【特許請求の範囲】
【請求項１】
低湿庫キャビネット内に配置する湿度センサーと、乾燥ユニットと、上記乾燥ユニットをキャビネット内とキャビネット外の何れかに切り換え連通せしめる切り換え手段とより成り、上記乾燥ユニットが、乾燥剤とこの乾燥剤の再生用加熱手段と、上下に延びる貫通孔と、この貫通孔を上下に通る直線上に配置した加熱源を有する上昇気流形成手段及び循環気流発生用ファンとを有し、上記加熱源が上下に延びる面を有する加熱板より成り、上記ファンが上記低湿庫キャビネット内の湿度が略10％RH以上となったときのみ作動することを特徴とする低湿庫用乾燥装置。
【請求項２】
上記加熱源が上記貫通孔に面する開口面を形成するよう互いに横方向に並設せしめた2枚の板と、この板間に挟持した発熱体とより成ることを特徴とする請求項１記載の低湿庫用乾燥装置。
【発明の詳細な説明】
【０００１】
【発明の属する技術分野】
本発明は低湿庫用乾燥装置、特に、上昇気流形成手段を有する低湿庫用乾燥装置に関するものである。
【０００２】
【従来の技術】
従来より、例えば特開平７−１６３８２９号公報に示すような低湿庫は、図４及び図５に示すように密封キャビネット１と、複数の例えば４枚のその前面扉２ａ〜２ｄと、上記密封キャビネット１内に配置した乾燥剤とその再生用加熱手段とを有する乾燥ユニット３とより成る。
【０００３】
図６はこの様な低湿庫に用いられる乾燥ユニット３の詳細を示し、４ａは外側ケース、４ｂは内側ケース、５はこの内側ケース４ｂ内に配置した乾燥剤ケース、６はこの乾燥剤ケース５内に充填された乾燥剤、７はこの乾燥剤６中に埋設した乾燥剤加熱手段、８はこの加熱手段７の制御手段、９，１０は夫々キャビネット１内と上記内側ケース４ｂ内を連通するため上記外側ケース４ａと内側ケース４ｂの上下に形成した開口、１１，１２は夫々キャビネット１外と上記内側ケース４ｂ内を連通するよう上記キャビネット１と内側ケース４ｂの上下に形成した開口、１３は上記内側ケース４ｂの上下の開口１０，１２を交互に開閉できるようその一端を回動自在に枢支したシャッターである。
【０００４】
このような低湿庫においては、庫内を除湿する場合、例えば、バイヤスバネと、形状記憶合金コイルと、この形状記憶合金コイルに対する通電制御手段より成る駆動手段によってシャッター１３を駆動し、庫内側開口１０を閉じ、庫外側開口１２を開くと共に、乾燥剤６をヒーター７によって例えば４０分間加熱し、乾燥剤６内の水分を庫外に放出せしめる。
【０００５】
その後例えば３０分〜４０分経過した後に庫内側開口１０を開き、庫外側開口１２を閉じる。これによって庫内の水分は、加熱によって再生された乾燥剤６によって吸着されるようになる。
【０００６】
上記除湿は６時間ないし８時間に１回づつ行ない、庫内湿度を低湿に保つ様にしているが、このような一般的な低湿庫は扉を頻繁にあけない時は省エネ運転として長時間乾燥剤の再生を行なわない様にしている。この場合低湿庫内の乾燥器の周囲は低湿であるが循環空気流が生じていないので低湿庫内の湿度が下がらない。一般的にはこの様な時、実用新案登録第２５６２７８７号公報の除湿器に示す様に循環用ファンを設けている。
【０００７】
【発明が解決しようとする課題】
然しながら、ファンを連続運転するとベアリングの寿命が短くなる事や騒音が問題となってくる。
【０００８】
また、このような低湿庫では、その扉を開放すると、例えば庫内湿度が５％ＲＨ、庫外湿度が６０％ＲＨのとき、庫内に庫外の湿度が入り込み、扉を例えば１回約３０秒開放すると庫内の湿度は約２０％ＲＨに上昇してしまい、この湿度が乾燥ユニットの作用で１０％ＲＨ以下に下がる迄には約１時間かかってしまう。
【０００９】
このようなものではＩＣパッケージ等の保管には適当でない。
【００１０】
本発明者は種々実験研究の結果、上記乾燥ユニット３に上下に延びる貫通孔を形成し、この貫通孔を上下に通る直線上に加熱源を有する上昇気流形成手段と循環気流発生用ファンとを用いればキャビネット内を速やかに低湿度となし得ること、また、庫内湿度が略１０％ＲＨ以下となった場合には上記ファンを引き続き作動せしめてもそのための効果は殆んど得られないことが判明した。
【００１１】
本発明はこのような知見をもとになされたものである。
【００１２】
【課題を解決するための手段】
本発明の低湿庫用乾燥装置は、低湿庫キャビネット内に配置する湿度センサーと、乾燥ユニットと、上記乾燥ユニットをキャビネット内とキャビネット外の何れかに切り換え連通せしめる切り換え手段とより成り、上記乾燥ユニットが、乾燥剤とこの乾燥剤の再生用加熱手段と、上下に延びる貫通孔と、この貫通孔を上下に通る直線上に配置した加熱源を有する上昇気流形成手段及び循環気流発生用ファンとを有し、上記加熱源が上下に延びる面を有する加熱板より成り、上記ファンが上記低湿庫キャビネット内の湿度が略10％RH以上となったときのみ作動することを特徴とする。
【００１４】
また、上記加熱源は、上記加熱源が上記貫通孔に面する開口面を形成するよう互いに横方向に並設せしめた2枚の板と、この板間に挟持した発熱体とより成ることを特徴とする。
【００１５】
【発明の実施の形態】
以下図面によって本発明の実施例を説明する。
【００１６】
本発明においては、図１及び図２に示すように乾燥剤ケース５として上下に延びる四角筒状の貫通孔１４を中心に設けた角柱体状のものを用い、上記貫通孔１４の下方に上昇気流形成手段１５と、循環気流発生用ファン１６とを配置せしめる。
【００１７】
この上昇気流形成手段１５は単なる発熱体でも良いが好ましくは図３に示すように貫通孔１４の横断面に略合致する上下に延びる四角筒状の開口を形成するよう互いに並設せしめた２枚の空気加熱板１５ａ，１５ｂと、この空気加熱板１５ａ，１５ｂの中間部分によって挟持された加熱体（ポジスター）１５ｃとにより構成せしめる。
【００１８】
また、上記ファン１６はキャビネット１内に配置した湿度センサー１７と、湿度コントローラ１８によってキャビネット１内の湿度が略１０％ＲＨ以上となったときのみ作動せしめる。
【００１９】
本発明の低湿庫用乾燥装置は上記のような構成であるから、上昇気流形成手段１５によって発生した上昇気流は上部の乾燥剤ケース５内の貫通孔１４内と、上記乾燥剤ケース５と上記内側ケース４ｂ間の間隙を矢印で示すように煙突効果により上昇する。再生された乾燥剤ケース５の内外周の空気は水蒸気分子の拡散運動により常に低湿となっているのでこの低湿度の空気が上昇気流発生手段１５により発生した上昇気流に乗ってキャビネット１内に放出され、更にファン１６によって強制空気循環が生じ、キャビネット１内が常時低湿度に維持されるようになると共に、キャビネット１内の湿度が１０％ＲＨ以下になるとファン１６は停止するのでそのベアリングの寿命を長くし、また、消費電力を低減できるようになる。
【００２０】
なお、上記上昇気流形成手段１５は乾燥剤ケース５の上部または貫通孔１４内に設けても良い。
【００２１】
また、上記空気加熱板を一枚のみとし、これに加熱体を取り付けるようにしても良い。更に、加熱体を用いず、板そのものが発熱するようにしても良い。
【００２２】
【発明の効果】
上記のように本発明の低湿庫によれば上昇気流形成手段とファンとによってキャビネット内が常時循環されるのでキャビネット内を常時低湿度に維持できるようになると共に、ファンの寿命を大幅に伸ばし得る等大きな利益がある。
【図面の簡単な説明】
【図１】本発明の低湿庫における乾燥ユニットの縦断正面図である。
【図２】本発明の低湿庫の正面図である。
【図３】図１に示す乾燥ユニットにおける上昇気流形成手段の斜視図である。
【図４】従来の低湿庫の正面図である。
【図５】図４に示す低湿庫の側面図である。
【図６】図４に示す低湿庫に用いる乾燥ユニットの説明図である。
【符号の説明】
１    密封キャビネット
２ａ  前面扉
２ｂ  前面扉
２ｃ  前面扉
２ｄ  前面扉
３    乾燥ユニット
４ａ  外側ケース
４ｂ  内側ケース
５    乾燥剤ケース
６    乾燥剤
７    乾燥剤加熱手段
８    制御手段
９    開口
１０    開口
１１    開口
１２    開口
１３    シャッター
１４    貫通孔
１５    上昇気流形成手段
１５ａ  空気加熱板
１５ｂ  空気加熱板
１５ｃ  加熱体（ポジスター）
１６    循環気流発生用ファン
１７    湿度センサー
１８    湿度コントローラ
【図１】
0003554860.tif 000002
【図２】
0003554860.tif 000003
【図３】
0003554860.tif 000004
【図４】
0003554860.tif 000005
【図５】
0003554860.tif 000006
【図６】
0003554860.tif 000007